(57)【特許請求の範囲】
【請求項１】
多端子フレキシブル直流送電システムまたはフレキシブル直流送電網システムに適用される直流電圧協調制御方法であって、前記方法は、コンバータの制御モードに応じてコンバータの有効電力指令値を生成する下位レベル制御であって、前記コンバータの制御モードが、直流電圧制御モードまたは有効電力制御モードである、前記下位レベル制御を含み、
多端子フレキシブル直流送電システムまたはフレキシブル直流送電網システムのコンバータの一部または全部が、前記下位レベル制御を備え、任意のコンバータの前記下位レベル制御が以下の工程を含むことを特徴とする直流電圧協調制御方法、
１）コンバータ制御モードが直流電圧制御モードの場合は工程２）へ進み、そうでない場合は工程３）へ進む。
２）直流電圧指令とコンバータ直流電圧の偏差に応じてコンバータの有効電力指令値を生成し、工程１）に進む。
３）コンバータの有効電力設定値に応じてコンバータの直流電圧有効電力曲線を生成し、工程４）に進む。
４）コンバータの有効電力指令値をコンバータの直流電圧と直流電圧有効電力曲線に応じて生成し、工程１）に進む。
【請求項２】
前記下位レベル制御の工程３）において、前記コンバータの有効電力設定値に応じて前記コンバータの直流電圧有効電力曲線を生成することが、以下の工程を含み、
３０１）制限最大直流電圧と最大逆変換有効電力に応じて直流電圧有効電力曲線の変曲点１を決定する、ことと
３０２）最大直流電圧と有効電力設定値に応じて直流電圧有効電力曲線の変曲点２を決定する、ことと
３０３）最小直流電圧と有効電力設定値に応じて直流電圧有効電力曲線の変曲点３を決定する、ことと
３０４）制限最小直流電圧及び最大整流有効電力に応じて直流電圧有効電力曲線の変曲点４を決定する、ことと
３０５）前記変曲点１、変曲点２、変曲点３及び変曲点４から決定される区分化された破断線によって直流電圧有効電力曲線を生成することであって、有効電力は、前記直流電圧が前記制限最大直流電圧よりも大きい場合には最大逆変換有効電力であり、前記直流電圧が前記制限最小直流電圧よりも小さい場合には最大整流有効電力であり、制限最大直流電圧、最大直流電圧、最小直流電圧、および制限最小直流電圧は予め設定された値であり、制限最大直流電圧≧最大直流電圧≧最小直流電圧≧制限最小直流電圧であり、前記最大逆変換有効電力は、コンバータが逆変換状態で動作しているときの最大有効電力であり、前記最大整流有効電力は、コンバータが整流状態で動作しているときの最大有効電力であり、前記最大逆変換有効電力および前記最大整流有効電力は、ともにシステム設定に応じて決定される、ことを含み、
前記下位レベル制御の工程４）において、前記コンバータの有効電力指令値が、前記コンバータの直流電圧有効電力曲線を読み出し、読み出されたコンバータの直流電圧に対応する有効電力をコンバータの有効電力指令値として決定することにより得られることを特徴とする請求項１に記載の直流電圧協調制御方法。
【請求項３】
前記下位レベル制御の工程２）において、前記直流電圧指令と前記コンバータ直流電圧との偏差に応じて前記コンバータの有効電力指令値を生成することが、比例−積分制御装置を介した前記偏差を用いて前記コンバータの有効電力指令値を求めることにより実現されることを特徴とする請求項１に記載の直流電圧協調制御方法。
【請求項４】
請求項１に記載の直流電圧協調制御方法であって、前記方法はさらに、上位レベル制御を含み、前記上位レベル制御は、前記下位レベル制御の制御モードと前記有効電力設定値とを調整し、前記上位レベル制御は、以下の工程を含み、
（１）各コンバータの制御モードの状態をモニターし、直流側で相互接続されている動作コンバータが直流電圧制御モードになっていない場合に、設定された優先度に従って最も優先度の高いコンバータに直流電圧制御モードへの切替え指示を送信し、直流側で相互接続された複数の動作コンバータが直流電圧制御モードである場合に、直流電圧制御モードで動作する最も優先度の高いコンバータ以外の他のコンバータに、有効電力制御モードへの切替え指示を送信し、工程２）に進む。
（２）電圧制御モードでコンバータの過負荷状態をモニターし、過負荷状態を過負荷コンバータの直流側に相互接続されている他のコンバータの下位レベル制御に送信し、工程１）に進み、過負荷状態は、整流過負荷または逆変換過負荷のいずれかであり、
前記上位レベル制御が含まれる場合、前記下位レベル制御は、以下の工程をさらに含み、
ａ）上位レベル制御から直流電圧制御モードへの切替え指示を受信した場合は工程ｂ）へ進み、そうでない場合は工程ｃ）へ進む、ことと
ｂ）コンバータの制御モードを直流電圧制御モードに切替えてから、工程ｃ）に進む。
ｃ）上位レベル制御から有効電力制御モードへの切替え指示を受信した場合は工程ｄ）に進み、そうでない場合は工程５）に進む、ことと
ｄ）コンバータの制御モードを有効電力制御モードに切替えてから、工程ｅ）に進む、ことと
ｅ）上位レベルの過負荷状態を受信した後、過負荷状態が整流過負荷であり、コンバータの有効電力設定値が逆変換電力である場合は、工程ｆ）に進み、または、過負荷状態が逆変換過負荷で有効電力設定値が整流電力の場合は、工程ｆ）に進み、そうでない場合は工程ａ）に進む、ことと
ｆ）予め設定された工程長に応じてコンバータの有効電力設定値を減少させ、工程ａ）に進む、ことを特徴とする請求項１に記載の直流電圧協調制御方法、
【請求項５】
前記上位レベル制御の工程（１）または工程（２）において、前記直流側の相互接続とは、前記コンバータの直流側が直接接続されているか、または直流配線を介して接続されていることを示すことを特徴とする請求項４に記載の直流電圧協調制御方法。
【請求項６】
前記上位レベル制御の工程（２）において、前記整流過負荷は、前記コンバータが整流動作しているときに発生する過負荷であり、前記逆変換過負荷は、前記コンバータが逆変換動作しているときに発生する過負荷であることを特徴とする請求項４に記載の直流電圧協調制御方法。
【請求項７】
前記下位レベル制御の工程ｆ）において、前記予め設定された工程長が、システムの検討に応じて、０ＭＷから前記コンバータの最大有効電力までの範囲の値で決定され、前記コンバータの有効電力設定値を減少させるとは、コンバータの有効電力設定値の絶対値を減少させる方向にコンバータの有効電力設定値を減少させることであることを特徴とする請求項４に記載の直流電圧協調制御方法。
【発明の詳細な説明】
【技術分野】
【０００１】
本発明は、電力システムのフレキシブル直流送電の技術分野に属し、特に直流電圧協調制御方法に関する。
【背景技術】
【０００２】
パワーエレクトロニクス機器と制御技術の進歩により、フレキシブル直流システムの容量と電圧階級はますます大きくなり、多端子であり直流である送電網へ向けて発展している。多端子フレキシブル直流とフレキシブル直流送電網は、二端子フレキシブル直流送電よりも運用における柔軟性と信頼性が高く、送電網間の相互接続、都市部の配電供給、複数の風力発電所（新エネルギー）の相互接続などに対応できる大規模フレキシブル直流送電網の構築において大きな利点を持つ。しかし、フレキシブル直流システムの規模の増加に伴い、コンバータ数は増加することにより、複数のコンバータ間の協調制御はより複雑になる。複数のコンバータ定常システムを構築するためにフレキシブル直流システムの直流電圧安定性をどのように確保するかが、フレキシブル直流送電網の規模拡大にとっての難点となる。
【０００３】
多端子フレキシブル直流送電のために一般的に使用される協調制御方法は、マスタ−スレーブ制御、直流電圧偏差制御、および直流電圧マージン制御を含む。これらの制御方法は、通信依存性が高く、スロープやマージンの設定が複雑であるなどの問題を主に抱えている。フレキシブル直流システムの大規模化に伴い、これらの問題はより顕著になってくる。これらの問題を解決するために、大規模フレキシブル直流送電システムは、複数のコンバータの協調制御を達成し、定常状態および過渡状態下において良好な性能を保証するための高度に拡張可能な直流電圧協調制御戦略を必要としている。
【発明の概要】
【０００４】
本発明の目的は、拡張可能な直流電圧協調制御方法を提供することである。この方法は、上位レベル制御と下位レベル制御によって実行される。上位レベル制御は定常状態におけるシステムの性能を保証し、下位レベル制御は過渡状態におけるシステムの性能と安定性を保証する。下位レベル制御では、コンバータの動作特性がコンバータの電力設定値に応じて自己調整されるので、この方法は、固定されたスロープとマージンでは全ての動作条件を満たすことができないという問題を回避し、大規模な多端子フレキシブル直流システムとフレキシブル直流送電網システムに適している。
【０００５】
上記目的を達成するために、本発明が採用する技術的解決手段を以下に説明する。
【０００６】
多端子フレキシブル直流送電システムまたはフレキシブル直流送電網システムに適用される直流電圧協調制御方法であって、コンバータの制御モードに応じてコンバータの有効電力指令値を生成する下位レベル制御であり、前記コンバータの制御モードが、直流電圧制御モードまたは有効電力制御モードである、前記下位レベル制御を含む直流電圧協調制御方法。
【０００７】
多端子フレキシブル直流送電システムまたはフレキシブル直流電力送電網システムのコンバータの一部または全部が、下位レベル制御を備え、任意のコンバータの下位レベル制御が以下の工程を含む。
【０００８】
１）コンバータ制御モードが直流電圧制御モードの場合は工程２）へ進み、そうでない場合は工程３）へ進む。
【０００９】
２）直流電圧指令およびコンバータ直流電圧の偏差に従ってコンバータの有効電力指令値を生成し、工程１）に進む。
【００１０】
３）コンバータの有効電力設定値に従ってコンバータの直流電圧有効電力曲線を生成し、工程４）に進む。
【００１１】
４）コンバータの有効電力指令値をコンバータの直流電圧と直流電圧有効電力曲線に応じて生成し、工程１）に進む。
【００１２】
上記直流電圧協調制御方法では、下位レベル制御の工程３）において、コンバータの有効電力設定値に応じてコンバータの直流電圧有効電力曲線を生成することは、以下の工程を含む。
【００１３】
１）制限最大直流電圧と最大逆変換有効電力に応じて直流電圧有効電力曲線の変曲点１を決定する。
【００１４】
２）最大直流電圧と有効電力設定値に応じて直流電圧有効電力曲線の変曲点２を決定する。
【００１５】
３）最小直流電圧と有効電力設定値に応じて直流電圧有効電力曲線の変曲点３を決定する。
【００１６】
４）制限最小直流電圧及び最大整流有効電力に応じて直流電圧有効電力曲線の変曲点４を決定する。
【００１７】
５）前記変曲点１、変曲点２、変曲点３及び変曲点４から決定される区分化された破断線によって直流電圧有効電力曲線を生成することであって、前記有効電力は、前記直流電圧が前記制限最大直流電圧よりも大きい場合には最大逆変換有効電力であり、前記直流電圧が前記制限最小直流電圧よりも小さい場合には最大整流有効電力である。
【００１８】
制限最大直流電圧、最大直流電圧、最小直流電圧、および制限最小直流電圧は、システムの検討に応じて決定される事前設定値であり、制限最大直流電圧≧最大直流電圧≧最小直流電圧≧制限最小直流電圧である。また、最大逆変換有効電力は、コンバータが逆変換状態で動作しているときの最大有効電力であり、最大整流有効電力は、コンバータが整流状態で動作しているときの最大有効電力であり、最大逆変換有効電力および最大整流有効電力はともに、システムの検討に応じて決定される。
【００１９】
下位レベル制御の工程４）において、コンバータの直流電圧有効電力曲線を読み出し、読み出されたコンバータの直流電圧に対応する有効電力をコンバータの有効電力指令値として求めることによりコンバータの有効電力指令値が得られる。
【００２０】
上記直流電圧協調制御方法では、下位レベル制御の工程２）において、直流電圧指令とコンバータ直流電圧との偏差に応じてコンバータの有効電力指令値を生成することが、比例−積分制御装置を介した前記偏差を用いてコンバータの有効電力指令値を得ることにより実現される。
【００２１】
上記直流電圧協調制御方法は、上位レベル制御であって、下位レベル制御の制御モードおよび有効電力設定値を調整する、前記上位レベル制御をさらに含むことを特徴とする。前記上位レベル制御は、以下の工程を含む。
【００２２】
（１）各コンバータの制御モードの状態をモニターする。直流側で相互接続されている動作コンバータが直流電圧制御モードになっていない場合に、設定された優先度に従って最も優先度の高いコンバータに直流電圧制御モードへの切替え指示を送信する。直流側で相互接続された複数の動作コンバータが直流電圧制御モードである場合に、直流電圧制御モードで動作する最も優先度の高いコンバータ以外の他のコンバータに、有効電力制御モードへの切替え指示を送信し、工程２に進む。
【００２３】
（２）電圧制御モードにおけるコンバータの過負荷状態をモニターし、過負荷状態を過負荷コンバータの直流側に相互接続されている他のコンバータの下位レベル制御に送信し、工程１）に進む。過負荷状態は、整流過負荷または逆変換過負荷のうちの１つである。
【００２４】
前記上位レベル制御が含まれる場合、前記下位レベル制御は、以下の工程をさらに含む。
【００２５】
ａ）上位レベル制御から直流電圧制御モードへの切替え指示を受信した場合は工程ｂ）に進み、そうでない場合は工程３）に進む。
【００２６】
ｂ）コンバータの制御モードを直流電圧制御モードに切り替えた後に、工程ｃ）に進む。
【００２７】
ｃ）上位レベル制御から有効電力制御モードへの切替え指示を受信した場合は工程ｄ）に進み、そうでない場合は工程ｅ）に進む。
【００２８】
ｄ）コンバータの制御モードを有効電力制御モードに切替えてから、工程ｅ）に進む。
【００２９】
ｅ）上位レベルの過負荷状態を受信した後、過負荷状態が整流過負荷であり、コンバータの有効電力設定値が逆変換電力である場合は、工程ｆ）に進み、または、過負荷状態が逆変換過負荷で有効電力設定値が整流電力の場合は、工程ｆ）に進み、そうでない場合は工程ａ）に進む。
【００３０】
ｆ）予め設定された工程長に応じてコンバータの有効電力設定値を減少させた後に、工程ａ）に進む。
【００３１】
上記直流電圧協調制御方法では、上位レベル制御の工程（１）または工程（２）において、直流側での相互接続とは、コンバータの直流側が直接接続されているか、直流配線を介して接続されていることを示す。
【００３２】
上記直流電圧協調制御方法では、上位レベル制御の工程（２）において、整流過負荷は、コンバータが整流動作中に発生する過負荷であり、逆変換過負荷は、コンバータが逆変換動作中に発生する過負荷である。
【００３３】
上記の直流電圧協調制御方法では、下位レベル制御の工程ｆ）において、システムの検討に応じて、コンバータの最大有効電力が０ＭＷから最大有効電力までの範囲の値で設定工程長が決定される。コンバータの有効電力設定値を減少させるとは、コンバータの有効電力設定値の絶対値を減少させる方向にコンバータの有効電力設定値を減少させることである。
【００３４】
上記の解決手段を採用した後、本発明の有利な効果は以下のようである。
【００３５】
（１）本発明の直流電圧協調制御方法は、コンバータの電力設定値に応じてコンバータの動作特性を自己調整することにより、固定されたスロープ及びマージンでは全ての動作条件を満たすことができないという問題を回避する。
【００３６】
（２）本発明の直流電圧協調制御方法によれば、通信障害時にシステムの過渡性能と安定性を確保することができ、通信依存性が低い。また、通信障害が発生した場合には、オペレータが電力設定値を調整して、上位レベル制御が失われた場合の制御不能の問題を回避することもできる。
【００３７】
（３）本発明の直流電圧協調制御方法は、システム条件に応じて、一部のコンバータに対してのみ下位レベル制御を使用することができ、大規模なフレキシブル直流システムに適しており、拡張可能性を有する。
【００３８】
（４）本発明の直流電圧協調制御方法は、コンバータの待機調整容量に応じて各コンバータの有効電力調整量を割り当てることにより、待機容量の大きいコンバータでより多くの有効電力を調整することができ、直流電圧の安定性を維持する上で有利である。
【００３９】
（５）本発明の直流電圧協調制御方法によれば、コンバータの動作特性の調整は、コンバータの電力設定値のみに依存するため、簡単で信頼性が高い。
【図面の簡単な説明】
【００４０】
【図１】上位レベル制御のフローチャートである。
【図２】下位レベル制御フローチャートである。
【図３】コンバータの直流電圧有効電力曲線の概略図である。
【発明を実施するための形態】
【００４１】
以下、図面および具体的な実施形態を参照して、本発明の技術的解決手段を詳細に説明する。
【００４２】
図１は上位レベル制御のフローチャートである。上位レベル制御が含まれている場合、上位レベル制御は下位レベル制御の制御モードおよび有効電力設定値を調整し、下位レベル制御は対応するコンバータの外部動作特性を調整し、それには以下の２つの工程が含まれる。
【００４３】
工程１０１：各コンバータの制御モードの状態をモニターする。直流側で相互接続された動作コンバータが直流電圧制御モードではない場合、この時点において、相互接続されたシステム内に直流電圧制御モードを使用して直流電力のバランスを取るコンバータが存在しないため、直流電圧制御モードへの切替えの指示は、予め設定された優先度に従って、最も優先度の高いコンバータに送られる。前記直流側で相互接続された複数の動作コンバータが直流電圧制御モードである場合は、前記有効電力制御モードへの切替えの指示は、前記直流電圧制御モードで動作する前記最優先のコンバータ以外の他のコンバータに送られ、前記相互接続されたシステム内の１つのコンバータのみが直流電圧制御モードであるようにする。
【００４４】
工程１０２：電圧制御モードにおけるコンバータの過負荷状態をモニターする。過負荷状態は、過負荷コンバータの直流側で相互接続された他のコンバータの下位レベル制御に送られ、過負荷状態は、整流過負荷または逆変換過負荷のいずれかであり、ここで、整流過負荷は、コンバータが整流動作中に生じる過負荷であり、逆変換過負荷は、コンバータが逆変換動作中に生じる過負荷である。過負荷状態を受信した後、下位レベル制御は、有効電力設定値を調整して外部動作特性の調整を行う。
【００４５】
図２は下位レベル制御のフローチャートである。直流電圧協調制御が上位レベル制御を含む場合、下位レベルの制御は以下の工程を含む。
【００４６】
工程２０１：上位レベル制御から直流電圧制御モードへの切替え指示を受信した場合、工程２０２に進み、そうでなければ工程２０３に進む。
【００４７】
工程２０２：コンバータの制御モードを直流電圧制御モードに切替えた後、工程２０３に進む。
【００４８】
工程２０３：上位レベル制御から有効電力制御モードへの切替え指示を受信した場合、工程２０４に進み、そうでなければ工程２０５に進む。
【００４９】
工程２０４：コンバータの制御モードを有効電力制御モードに切替え、次いで工程２０５に進む。
【００５０】
工程２０５：上位レベルの過負荷状態を受信し、過負荷状態が整流過負荷であり、コンバータの有効電力設定値が逆変換電力である場合、工程２０６に進む。または、過負荷状態が逆変換過負荷であり、有効電力設定値が整流電力である場合、工程２０６に進み、そうでない場合、工程２０７に進む。
【００５１】
工程２０６：予め設定された工程長に応じてコンバータの有効電力設定値を減少させ、次いで工程２０７に進む。設定された工程長は、０ＭＷからコンバータの最大有効電力までの範囲の値で、システムの検討に応じて決定され、工程長が１ＭＷの場合、有効電力設定値のうちの１ＭＷが実行周期ごとに減少する。コンバータの有効電力設定値を減少させることは、コンバータの有効電力設定値の絶対値を減少させる方向にコンバータの有効電力設定値を減少させることを示す。それ以前の実行周期の有効電力設定値が整流方向の１００ＭＷである場合、今回の実行周期の有効電力の設定値は９９ＭＷである。それ以前の実行周期の有効電力の設定値が逆変換方向である−１００ＭＷである場合には、値のみが減少するので、今回の実行周期の有効電力の設定値は−９９ＭＷとなる。  
【００５２】
工程２０７：コンバータ制御モードが直流電圧制御モードの場合は工程２０８に進み、そうでない場合は工程２０９に進む。
【００５３】
工程２０８：直流電圧指令とコンバータ直流電圧の偏差に応じてコンバータの有効電力指令値を生成し、工程２０１に進む。この工程では、直流電圧制御装置を使用して直流電圧を目標値として制御し、コンバータの有効電力指令値を生成する。
【００５４】
工程２０９：コンバータの有効電力設定値に従ってコンバータの直流電圧有効電力曲線を生成し、工程２１０に進む。
【００５５】
工程２１０：コンバータの直流電圧およびコンバータの直流電圧有効電力曲線に従ってコンバータの有効電力指令値を生成し、次いで工程２０１に進む。好ましくは、コンバータの直流電圧は、コンバータの電極間電圧であってもよい。
【００５６】
なお、上位レベル制御が設定されていない場合には、工程２０１〜工程２０６を省略してもよい。
【００５７】
下位レベル制御はコンバータ制御において設けられ、下位制御レベルで配置され、制御システムの信頼性を向上させる。上位レベル制御は、下位レベル制御を有する分散構成において、必要に応じて任意の位置に構成することができ、通信を介して下位レベル制御と相互作用することができる。大規模フレキシブル直流システムへの応用においては、強い調整能力を持ついくつかのコンバータだけがシステム条件に従って下位レベル制御で構成され、下位レベル制御で構成されるいくつかのコンバータが直流電圧安定性を維持するために使用される。
【００５８】
図３は、コンバータの直流電圧有効電力曲線の概略図であり、上記工程２０９および２１０は、図と組み合わせてさらに説明される。
0006783970.tif 000002
は制限最大直流電圧、
0006783970.tif 000003
は最大直流電圧、
0006783970.tif 000004
は制限最小直流電圧、
0006783970.tif 000005
は最小直流電圧、
0006783970.tif 000006
は最大逆変換有効電力、および
0006783970.tif 000007
は最大整流有効電力で、どちらもシステムの検討に従い決定される。好ましくは、制限最大直流電圧
0006783970.tif 000008
は直流過電圧設定値により決定でき、最大直流電圧
0006783970.tif 000009
は定常動作時の最大電圧値により決定でき、制限最小直流電圧
0006783970.tif 000010
は直流低電圧設定値により決定でき、最小直流電圧
0006783970.tif 000011
は、定常動作時の最小電圧値により決定できる。最大逆変換有効電力
0006783970.tif 000012
は、コンバータが逆変換状態で動作しているときの最大有効電力に基づいて決定される。最大整流有効電力
0006783970.tif 000013
は、コンバータが整流状態で動作しているときの最大有効電力に基づいて決定することができる。上記の決定は、適切な信頼度因子を採用することを意味する。
【００５９】
有効電力設定値が
0006783970.tif 000014
である場合、直流電圧有効電力曲線１は、変曲点Ｐ１、Ｐ２、Ｐ３、およびＰ４により決定でき、ここで、Ｐ１＝
0006783970.tif 000015
、Ｐ２＝
0006783970.tif 000016
、Ｐ３＝
0006783970.tif 000017
、Ｐ４＝
0006783970.tif 000018
である。有効電力設定値が
0006783970.tif 000019
である場合、別の直流電圧有効電力曲線２は、変曲点Ｐ１、Ｐ２’、Ｐ３’、およびＰ４によって決定することができ、ここでＰ１＝
0006783970.tif 000020
、Ｐ２’＝
0006783970.tif 000021
、Ｐ３’＝
0006783970.tif 000022
、Ｐ４＝
0006783970.tif 000023
である。
【００６０】
コンバータの有効電力指令値は、コンバータの直流電圧および直流電圧有効電力曲線に従って生成することができる。例えば、直流電圧サンプリング値が
0006783970.tif 000024
である時、有効電力指令値
0006783970.tif 000025
は直流電圧有効電力曲線１により求めることができ、有効電力指令値
0006783970.tif 000026
は、直流電圧有効電力曲線２により求めることができる。同じコンバータに対して、有効電力設定値を
0006783970.tif 000027
から
0006783970.tif 000028
に調整すると、コンバータの動作特性が自動的に調整される。定常状態においては
0006783970.tif 000029
および
0006783970.tif 000030
である。過電圧または電圧不足においては、待機調整容量に応じて直流電力のバランスを維持するようにコンバータの電力が変更される。例えば、過電圧が直流電圧
0006783970.tif 000031
に達した時、コンバータの電力指令値の調整量とコンバータの待機調整容量とが比例する。つまり、以下のようである。
0006783970.tif 000032
その中で
0006783970.tif 000033
は、有効電力設定値が
0006783970.tif 000034
である場合の待機調整容量であり、
0006783970.tif 000035
は有効電力設定値が
0006783970.tif 000036
である場合の待機調整容量である。同様に、２つの異なるコンバータでは、有効電力設定値がそれぞれ
0006783970.tif 000037
および
0006783970.tif 000038
であり、また、過電圧や電圧不足が発生する場合には、待機調整容量に応じて各コンバータの有効電力調整量を割り当てることができるので、待機容量の大きいコンバータでは、より多くの有効電力を調整して直流電圧を安定に保つことができる。
【００６１】
上記の実施形態は、本発明を説明するための技術的思想にすぎず、本発明の保護範囲を限定するために用いることはできない。本発明により提案された技術的思想に従った技術的解決に基づいてなされたいかなる変更も、本発明の保護範囲に含まれる。
【図１】
0006783970.tif 000039
【図２】
0006783970.tif 000040
【図３】
0006783970.tif 000041